(57)【要約】【課題】「予測選局」と「盛り上がり選局」とが両立可能な放送受信装置及びその制御方法を提供することを目的とする。【解決手段】復号化処理されたコンテンツの映像・音声を表示・出力させて、表示・出力の継続時間を計測するとともに、次に選局要求があると予測される放送信号を復号化処理し、選局を切替えてこのコンテンツを表示・出力させる予測選局処理をし、前記計測した継続時間が所定の時間以上になったコンテンツについて、所定の状態に変化したものについては、さらに選局を切替えてコンテンツを表示・出力させる盛り上がり選局処理をし、前記継続時間が所定の時間未満の場合には、新たな予測選局処理を行うようにする。【選択図】  図１
2011049629.tif 000002
【特許請求の範囲】
【請求項１】
符号化された複数の放送信号を受信し、復号化処理してコンテンツの映像・音声を表示・出力する放送受信装置であって、
所定の選局要求の操作に応じて前記放送信号を受信し、受信した放送信号に含まれる映像データ及び音声データの復号化処理を行う複数の復号化処理手段と、前記いずれか１の復号化処理手段によって復号化されたコンテンツの映像・音声を表示・出力させる表示・出力手段と、前記１の復号化処理手段以外の復号化処理手段により、次に選局要求があると予測される放送信号を受信し、この受信した放送信号に含まれる映像データ及び音声データの復号化処理によってコンテンツの予測選局処理を行う選局制御手段と、前記表示・出力されたコンテンツの表示・出力の継続時間を計測する時間計測手段とを備え、
前記選局制御手段は、前記継続時間が所定の時間以上になった場合、表示・出力されたコンテンツの選局状態を維持し、コンテンツの状態の変化を監視するとともに、前記予測選局処理されたコンテンツの映像・音声を前記表示・出力手段によって表示・出力させ、前記監視されたコンテンツの状態が所定の状態に変化したことを検出すると、この検出されたコンテンツの映像・音声を前記表示・出力手段によって表示・出力させる選局切替手段を有し、前記継続時間が所定の時間に満たなかった場合、前記予測選局されたコンテンツの映像・音声を前記表示・出力手段によって表示・出力させるとともに、新たな予測選局処理を行うことを特徴とする放送受信装置。
【請求項２】
前記選局切替手段は、前記状態の変化を監視されているコンテンツが、所定の音量レベルを超えた場合に、前記状態の変化を検出するものであることを特徴とする請求項１記載の放送受信装置。
【請求項３】
前記状態の変化を監視されているコンテンツがコマーシャルメッセージ（ＣＭ）の配信を行っているか否かの検出をするＣＭ検出手段を有し、前記所定の時間は、前記ＣＭの検出の有無により、異なる時間が設定されることを特徴とする請求項１又は請求項２記載の放送受信装置。
【請求項４】
前記状態の変化を監視されているコンテンツの所定の視聴回数を管理する視聴履歴管理手段を有し、前記所定の時間は、前記視聴回数によって異なる時間が設定されることを特徴とする請求項１又は請求項２記載の放送受信装置。
【請求項５】
前記視聴履歴管理手段は、選局の対象となるチャンネル別の視聴回数を管理することを特徴とする請求項４記載の放送受信装置。
【請求項６】
前記視聴履歴管理手段は、コンテンツのタイトル別の視聴回数を管理することを特徴とする請求項４記載の放送受信装置。
【請求項７】
前記視聴履歴管理手段は、コンテンツのジャンル別の視聴回数を管理することを特徴とする請求項４記載の放送受信装置。
【請求項８】
前記選局切替手段は、前記選局要求に基づいて、前記表示・出力手段により映像・音声が表示・出力されているコンテンツに代えて、前記所定の状態の変化が検出されたコンテンツの映像・音声を表示・出力させる表示合成手段を有することを特徴とする請求項１記載の放送受信装置。
【請求項９】
前記選局切替手段は、前記選局要求に基づいて、前記表示・出力手段により映像・音声が表示・出力されているコンテンツと、前記所定の状態の変化が検出されたコンテンツとを前記表示・出力手段により同時に表示・出力させる表示合成手段を有することを特徴とする請求項１記載の放送受信装置。
【請求項１０】
前記選局切替手段は、前記選局要求に基づいて、前記表示・出力手段により映像・音声が表示・出力されているコンテンツに、前記状態の変化を監視されているコンテンツが、所定の状態に変化したことを検出したことを表示させる表示合成手段を有することを特徴とする請求項１記載の放送受信装置。
【請求項１１】
符号化された複数の放送信号を受信し、復号化処理してコンテンツの映像・音声を表示・出力する放送受信装置の制御方法であって、
所定の選局要求の操作に応じて前記放送信号を受信し、受信した放送信号に含まれる映像データおよび音声データの復号化処理を行うとともに、次に選局要求があると予測される放送信号を受信し、この受信した放送信号に含まれる映像データ及び音声データの復号化処理によってコンテンツの予測選局処理を行うステップと、前記選局要求の操作に応じて復号化処理されたコンテンツを前記放送受信装置に表示・出力させるステップと、この表示・出力されたコンテンツの表示・出力の継続時間を計測するステップと、前記継続時間が所定の時間以上になった場合、表示・出力されたコンテンツの選局状態を維持し、コンテンツの状態の変化を監視するとともに、前記予測選局処理されたコンテンツの映像・音声を表示・出力させるステップと、前記監視されたコンテンツの状態が所定の状態に変化したことを検出すると、この検出されたコンテンツの映像・音声を前記予測選局処理により表示・出力されているコンテンツから切り替えて表示・出力させるステップと、前記継続時間が所定の時間に満たなかった場合、前記予測選局処理されたコンテンツの映像・音声を表示・出力させるとともに、新たな予測選局処理を行うことを特徴とする放送受信装置の制御方法。
【発明の詳細な説明】
【技術分野】
【０００１】
本発明は、放送受信装置及びその制御方法に関し、特に、符号化された複数の放送信号を受信し、復号化処理してコンテンツの映像・音声を表示・出力する放送受信装置及びその制御方法に関する。
【背景技術】
【０００２】
地上デジタル放送の開始により、地上デジタル放送対応の放送受信装置の普及が加速している。この地上デジタル放送では、1つの変調周波数に複数のチャンネルが存在する。また、コンテンツの構成データ（映像データ、音声データなど）は、ＭＰＥＧ２（Ｍｏｖｉｎｇ  Ｐｉｃｔｕｒｅ  Ｅｘｐｅｒｔｓ  Ｇｒｏｕｐ２）等の規格に基づいて符号化されている。さらに、前記構成データは、トランスポートストリーム（ＴＳ）によって多重化されて伝送される。従って、地上デジタル放送で選局処理をするためには、所定の変調周波数へのチューニングの他、ＴＳの生成や映像、音声の復号処理等が必要となる。このように、地上デジタル放送では、選局するために多様な処理が必要となるため、従来のアナログ放送に比べて選局処理に要する時間が長くなるという問題が生じていた。
【０００３】
特に、短時間でチャンネルを巡回する「ザッピング選局」をする場合に、アナログ放送で選局処理する所要時間に慣れ親しんだユーザには、デジタル放送の上記所要時間に強いストレスを感じるため、上記問題が顕著となっていた。
【０００４】
そこで、従来、前記ザッピング選局の場合など、選局に要する所要時間を短縮するための技術が開示されていた。例えば、主系統と副系統の２つの選局処理手段を設けて選局の所要時間を短縮する制御システムが開示されていた。即ち、主系統では、画面上で出力し、副系統では、次に選局される予備のコンテンツを復号した状態で待機させる技術が開示されていた（特許文献１参照）。また、上記副系統の設定は、フラグを立てて設定して記憶させ、後で呼び出すようにしてもよい（特許文献２参照）。なお、上記のように、次に選局されると予測されるチャンネルを選局することを以下「予測選局」という。
【０００５】
ところで、前記ザッピング選局は、ユーザが視聴中のコンテンツがコマーシャルメッセージ（ＣＭ）を配信している間に行なわれることが多い。これは、現在、視聴中のコンテンツを見ながら、同時に、他局のコンテンツの盛り上がり部分を見逃したくないという要請によるものである。しかし、現在視聴中のコンテンツと同時並行的に他のコンテンツの盛り上がり部分をタイムリーに視聴することは困難であった。そこで、タイムリーにコンテンツの盛り上がり部分を視聴するため、コンテンツの音量レベルを利用して、コンテンツの盛り上がり度を検出し、画面表示を制御する技術が開示されていた（特許文献３参照）。
【０００６】
即ち、上記先行技術によれば、ユーザが視聴しているコンテンツを画面上で表示させると同時に、他のコンテンツの盛り上がり度を音量レベルで監視する。この音量レベルが、所定の閾値以上になると、例えば、先に画面表示されていたコンテンツと、前記検出されたコンテンツとをマルチ画面表示させるように制御していた。なお、前記盛り上がり度を検出して選局することを以下「盛り上がり選局」という。  
【先行技術文献】
【特許文献】
【０００７】
【特許文献１】特開２００８−１５３９４０号公報
【特許文献２】特開昭６２−２３０２９５号公報
【特許文献３】特開２００７−３１１９４２号公報
【発明の概要】
【発明が解決しようとする課題】
【０００８】
前記「予測選局」と「盛り上がり選局」は、デジタル放送の普及が進むにつれて、いずれもユーザニーズがさらに増大することが予想される。しかしながら、前記各従来技術では、「予測選局」と「盛り上がり選局」の両立は困難であるという不都合があった。即ち、「予測選局」では、画面上に表示させるための選局のほか、次に選局されると予測されるチャンネルの選局処理をするため、「盛り上がり選局」による監視、検出を行うことができなかった。逆に「盛り上がり選局」では、画面上で表示させる選局のほか、他局のコンテンツを監視、検出するために選局処理をするため、次に選局されると予測されるチャンネルを選局することができなかった。
本発明は、前記課題に鑑みて、「予測選局」と「盛り上がり選局」とが両立可能な放送受信装置及びその制御方法を提供することを目的とする。
【課題を解決するための手段】
【０００９】
前記課題を解決するために、本発明に係る放送受信装置は、符号化された複数の放送信号を受信し、復号化処理してコンテンツの映像・音声を表示・出力する放送受信装置であって、所定の選局要求の操作に応じて前記放送信号を受信し、受信した放送信号に含まれる映像データ及び音声データの復号化処理を行う複数の復号化処理手段と、前記いずれか１の復号化処理手段によって復号化されたコンテンツの映像・音声を表示・出力させる表示・出力手段と、前記１の復号化処理手段以外の復号化処理手段により、次に選局要求があると予測される放送信号を受信し、この受信した放送信号に含まれる映像データ及び音声データの復号化処理によってコンテンツの予測選局処理を行う選局制御手段と、前記表示・出力されたコンテンツの表示・出力の継続時間を計測する時間計測手段とを備え、前記選局制御手段は、前記継続時間が所定の時間以上になった場合、表示・出力されたコンテンツの選局状態を維持し、コンテンツの状態の変化を監視するとともに、前記予測選局処理されたコンテンツの映像・音声を前記表示・出力手段によって表示・出力させ、前記監視されたコンテンツの状態が所定の状態に変化したことを検出すると、この検出されたコンテンツの映像・音声を前記表示・出力手段によって表示・出力させる選局切替手段を有し、前記継続時間が所定の時間に満たなかった場合、前記予測選局されたコンテンツの映像・音声を前記表示・出力手段によって表示・出力させるとともに、新たな予測選局処理を行うことを特徴とする。
【００１０】
また、本発明にかかる放送受信装置の制御方法は、符号化された複数の放送信号を受信し、復号化処理してコンテンツの映像・音声を表示・出力する放送受信装置の制御方法であって、所定の選局要求の操作に応じて前記放送信号を受信し、受信した放送信号に含まれる映像データおよび音声データの復号化処理を行うとともに、次に選局要求があると予測される放送信号を受信し、この受信した放送信号に含まれる映像データ及び音声データの復号化処理によってコンテンツの予測選局処理を行うステップと、前記選局要求の操作に応じて復号化処理されたコンテンツを前記放送受信装置に表示・出力させるステップと、この表示・出力されたコンテンツの表示・出力の継続時間を計測するステップと、前記継続時間が所定の時間以上になった場合、表示・出力されたコンテンツの選局状態を維持し、コンテンツの状態の変化を監視するとともに、前記予測選局処理されたコンテンツの映像・音声を表示・出力させるステップと、前記監視されたコンテンツの状態が所定の状態に変化したことを検出すると、この検出されたコンテンツの映像・音声を前記予測選局処理により表示・出力されているコンテンツから切り替えて表示・出力させるステップと、前記継続時間が所定の時間に満たなかった場合、前記予測選局処理されたコンテンツの映像・音声を表示・出力させるとともに、新たな予測選局処理を行うことを特徴とする。
【発明の効果】
【００１１】
本発明によれば、「予測選局」と「盛り上がり選局」とを両立させ、選局処理の高速化と他局のコンテンツの盛り上がり部分を見逃す機会の低減化との双方を実現することが可能になるという効果を奏する。
【図面の簡単な説明】
【００１２】
【図１】本発明にかかる第１実施形態の放送受信装置の構成を示す図。
【図２】ユーザが操作するためのリモコンの構成を示す図。
【図３】「選局管理テーブル」の一例を示す図。
【図４】第１実施形態の選局処理フロー図。
【図５】アップダウン選局処理のフロー図。
【図６】ダイレクト選局処理のフロー図。
【図７】本発明における第２実施形態の放送受信装置の構成を示す図。
【図８】第２実施形態の選局処理フロー図。
【図９】本発明における第３実施形態の放送受信装置の構成を示す図。
【図１０】第３実施形態の「選局管理テーブル」の一例を示す図。
【図１１】第３実施形態の選局処理フロー図。
【発明を実施するための形態】
【００１３】
以下、添付図面を参照して、本発明の好適な実施形態を詳細に説明する。なお、以下の各実施形態では、本発明にかかる放送受信装置として、デジタル放送を受信するテレビジョンを例に説明するが、これに限定する趣旨ではない。符号化された放送信号を受信し、この放送信号に含まれる映像データと音声データを複号化し、コンテンツを表示・出力する放送受信装置であればよい。従って、例えば、Ｉｎｔｅｒｎｅｔ  Ｐｒｔｏｃｏｌ（ＩＰ）を用いてコンテンツをネットワーク受信するデジタルテレビジョンでもよい。また、ＩＥＥＥ１３９４、ＵＳＢ等の情報伝送手段を用いて、コンテンツを受信するデジタルテレビジョンであってもよい。
【００１４】
（第１実施形態）
本実施形態では、予測選局した後、表示・出力されているコンテンツの表示・出力の継続時間が、所定の時間以上になった場合、盛り上がり選局を行うようにした形態について説明する。
【００１５】
図１を参照して、１００は、アンテナ１０１を介して、符号化された複数の放送信号を受信するデジタルテレビジョン（ＤＴＶ）である。ＤＴＶ１００は、ユーザによるリモコン１５１の所定の選局要求の操作によって、受光部１１６を介して、システム制御部１１５で操作情報を受信する。受信した操作情報が、選局情報である場合、システム制御部１１５は、選局制御部１１７に対して前記操作情報を含めて選局の要求を行う。
【００１６】
ここで、図２を使ってリモコン１５１の構成例について説明する。リモコン１５１は、ＤＴＶ１００の電源を遠隔操作でオン／オフするための電源キー２０２を有する。電源キー２０２でＤＴＶの電源をオンにした後、前記の通り、ＤＴＶ１００の受光部１１６に対して操作情報を送信するために、発行部２０１で赤外線通信を行う。ＤＴＶ１００で表示・出力されるコンテンツの各種操作は、カーソルキー２０３及び決定キー２０４によって随時行われる。また、番組情報のＥＰＧ（Ｅｌｅｃｔｒｉｃ  Ｐｒｏｇｒａｍ  Ｇｕｉｄｅ）の表示は、ＥＰＧキー２０５によって操作する。表示されたコンテンツの音量の出力は、音量アップダウンキー２０６によって調整する。なお、前記所定の選局要求の操作は、チャンネルアップダウンキー２０７、又は、１〜１２のキーからなる数字キー２０８によって行われる。チャンネルアップダウンキー２０７は、隣接するチャンネルを順次降順又は昇順に切替えるときに使用する。一方、数字キー２０８は、所望のチャンネルにダイレクトに切替えるときに使用する。なお、以下、前者の選局方法を「アップダウン選局」、後者の選局方法を「ダイレクト選局」という。
【００１７】
図１に戻って、選局の要求を受け付けた選局制御部１１７は、選局すべきチャンネルを判別し、選局処理を開始する。選局すべきチャンネルの判別については、後述する。本実施の形態では、選局処理を行うための選局処理を後述する第１系統と第２系統の２つの系統に分けて行うこととしたが、２つの系統に限定する趣旨ではなない。即ち、複数であればよく、例えば、３つ以上であってもよい。前記第１系統は、チューナ部１０２、データ分離部１０４、映像・音声デコード部１０６から構成されている。また、前記第２系統は、チューナ部１０３、データ分離部１０５、映像・音声デコード部１０７から構成されている。第１系統及び第２系統は、いずれも、以下で説明する通り、受信した放送信号から、映像データ及び音声データの復号化処理行う複数の復号化処理手段として機能する。１の復号化処理手段で復号化されたコンテンツを表示・出力し、この１の復号化処理手段以外の復号化処理手段で後述する予測選局処理のための処理を行う。
【００１８】
チューナ部１０２／チューナ部１０３は、アンテナ１０１から入力される放送信号に対し、復調、誤り訂正等の処理を行ない、トランスポートストリーム（ＴＳ）を形成し、データ分離部１０４／データ分離部１０５に出力する。なお、ＴＳは、1つ以上のチャンネルに関する映像データ、音声データ、現在時刻情報、番組情報データ、データ放送データ等が多重化されている。前記現在時刻情報には、年月日、時分秒情報が含まれる。また、前記番組情報には、番組名、番組内容説明、放送チャンネル、放送時間情報（開始時刻と継続時間）、番組の属するジャンル情報等が含まれる。
【００１９】
データ分離部１０４／データ分離部１０５は、前記ＴＳから所望のチャンネルに関する映像データ、音声データ、番組情報データ、データ放送データ、及び現在時刻情報データの分離を行なう。
【００２０】
データ分離部１０４／データ分離部１０５で分離された映像データ、音声データは、映像・音声デコード部１０６／映像・音声デコード部１０７に出力し、ＭＰＥＧ２等によって符号化されたデータの復号化が行なわれる。
【００２１】
前記分離され、復号化された映像データは、表示合成部１０８で、グラフィック生成部１１４が生成するグラフィックデータと合成される。また、表示合成部１０８は、システム制御部１１５からの要求に基づき、前記一方の系統の映像を選択し、選局切替部として機能する表示制御部１０９に出力される。さらに、前記二つの系統の映像をＰｉｃｔｕｒｅ  ｉｎ  Ｐｉｃｔｕｒｅによりマルチ画面表示する機能も有する。表示制御部１０９は、映像データを映像表示部１１１の表示解像度、表示色数、リフレッシュレートに適した表示データ、タイミングに変換し、映像表示部１１１にて映像が表示される。
【００２２】
一方、前記分離され、復号化された音声データは、音声制御部１１０に出力される。音声制御部１１０は、音声データのボリューム等を変更する機能を有し、音声出力部１１２にて音声を出力する。音声制御部１１０は、選局制御部１１７からの要求に基づき、第一系統、第二系統のいずれかの音声を選択して音声制御部１１０に出力する機能も有する。さらに、前記音声データは、盛り上がり通知制御部１１３にも出力される。
【００２３】
なお、前記分離された映像データ、音声データ以外のデータ、即ち、番組情報データ、データ放送データは、メモリ部１１８に蓄積される。また、現在時刻情報データは、時間計測部として機能するタイマー部１１９に出力される。タイマー部１１９は、時刻情報のカウントと選局制御部１１７からの要求に基づいて、後述する所定の時間の計測を行なう。
【００２４】
以下、選局制御部１１７で、前記第一系統又は第二系統のいずれか１の系統によって選局すべきチャンネルを判別する方法について説明する。
【００２５】
選局すべきチャンネルの判別には、前記リモコン１５１から受信した操作情報と選局制御部１１７が管理する「選局管理テーブル」を用いる。ここで、図３を使って、「選局管理テーブル」の例を説明する。選局管理テーブルは、ｉｎｄｅｘ３０１の他、数字キー３０２、チャンネル３０３によって、図２で説明したリモコン１５１の数字キー２０８と選局すべきチャンネルとを対応づける。図３では、数字キー２０８の数字とチャンネルの数字が同一の数字で１対１に対応している。なお、数字キー１０及び１２に対応するチャンネルは存在していないことを示すため、ＮａＮと表示されている。また、選局管理テーブルは、チャンネル３０３と第一系統３０４、第二系統３０５とを対応させ、どのチャンネルが選局されているかを識別できるようにしている。図３では、第一系統において、Ａと表記されたチャンネル２が選局中であり、第二系統において、Ａと表記されたチャンネル３が選局中であることが示されている。なお、第一系統３０４、第二系統３０５でＮＡと表記されているのは、選局中ではないことを示すものである。
【００２６】
図１に戻り、選局制御部１１７は、第一系統、第二系統のいずれかによって選局処理された映像・音声を表示・出力部に表示・出力させているかを識別する系統識別フラグを保持する（図示せず）。ここで、表示・出力部とは、図１では、映像表示部１１１と音声出力部１１２の総称のことである。例えば、表示・出力中のコンテンツが第一系統による場合は１、第二系統による場合は０とする。このとき系統識別フラグが第一系統によることを示す１が立てられている場合には、図３の状態のとき、第一系統３０４のＡと表示されている２チャンネルが表示・出力されていることになる。一方、系統識別フラグが立っていない系統では、選局されているチャンネルは、前記予測選局処理の対象となる。予測選局処理の具体的な説明は後述する。なお、前記系統識別フラグは、メモリ部１１８にて保持されている。
【００２７】
以下、図４乃至図６を使って予測選局処理及び盛り上がり選局処理について具体的に説明する。図４は、本実施形態にかかる選局処理フロー図を示したものである。以下、適宜図１を参照しながら説明する。
【００２８】
選局制御部１１７は、システム制御部１１５からの操作情報を伴う選局要求を待つ（Ｓ４０１）。この選局要求は、ユーザが操作するリモコン１５１から送信される情報に基づくものである。選局要求を受信すると、選局制御部１１７は、システム制御部１１５から受信する操作情報と選局要求に基づき、選局種別の判定処理に入る（Ｓ４０２）。ここで、選局種別とは、図２で説明したチャンネルアップダウンキー２０７による「アップダウン選局」及び数字キー２０８による「ダイレクト選局」である。選局制御部１１７は、ユーザが選択した選局種別が、アップダウン選局か、ダイレクト選局か、の判断を行う（Ｓ４０３）。
【００２９】
アップダウン選局が選択されたと判断すると（Ｓ４０３のＹＥＳの場合）、選局制御部１１７は、アップダウン選局処理を行う（Ｓ４０４）。以下、図５を使って、アップダウン選局処理を具体的に説明する。
【００３０】
選局制御部１１７は、前記系統識別フラグに基づき、第一系統、第二系統のどちらの映像・音声を映像表示部１１１、音声出力部１１２から表示・出力するかを決定する（Ｓ５０１）。例えば、系統識別フラグが０の場合は、選局処理後に映像・音声を表示・出力するのを第二系統とする。系統識別フラグが１の場合は、選局処理後に映像・音声を表示・出力するのを第一系統とする。
【００３１】
選局制御部１１７は、図３で説明した選局管理テーブルの表示・出力中のチャンネル情報と系統識別フラグに基づき、第一系統、第二系統で選局すべきチャンネルを決定する（Ｓ５０２）。図３の選局管理テーブルの状態を例に説明すると、第一系統では、Ａと表記されたチャンネル２が選局されている。また、第二系統では、Ａと表記されたチャンネル３が選局されている。ここで、系統識別フラグの０が立っているとする。そうすると、選局制御部１１７は、チャンネルアップ方向の選局指示があった場合、第一系統によってチャンネル４、第二系統によってチャンネル３が選局されるべきチャンネルであると決定する。第二系統では、系統識別フラグの０が立っているため、現在のチャンネルが表示・出力されるからである。また、第一系統は、チャンネルアップ方向の選局指示により、表示・出力されているチャンネルよりも、一つ上のチャンネルが予測選局されるからである。
【００３２】
一方、図３の状態（第一系統でチャンネル２が選局され、第二系統でチャンネル３が選局されている状態）でチャンネルダウン方向の選局指示があった場合は、以下の通りとなる。即ち、系統識別フラグの０が立つと、第一系統によってチャンネル１、第二系統によってチャンネル３が選局されるべきチャンネルであると決定する。
【００３３】
選局制御部１１７は、Ｓ５０２で決定したチャンネルへの選局を第一系統、第二系統双方について行なう（Ｓ５０３）。選局処理完了後、選局制御部１１７は、選局管理テーブルと系統識別フラグの更新を行って、システム制御部１１５に対し、Ｓ５０１にて決定した系統への切換え要求を行なう（Ｓ５０４）。
【００３４】
図４に戻り、システム制御部１１５は、選局系統への切換え要求に基づき、表示合成部１０９、音声制御部１１０に対し、第一系統又は第二系統の映像・音声を選択して表示・出力の指示をして、アップダウン選局処理を完了する。アップダウン選局処理の完了後、選局制御部１１７は、タイマー部１１９で計測された表示・出力の継続時間を取得する（Ｓ４０５）。
【００３５】
選局制御部１１７は、前記継続時間が所定の時間以上になったか否かを判定する（Ｓ４０６）。本実施形態においては、例えば、所定の時間をＮ=１０秒とする。継続時間が１０秒未満の場合（Ｓ４０６のＮＯの場合）には、選局制御部１１７は、新たな選局要求の有無を判断する（Ｓ４０７）。一方、継続時間が、１０秒以上の場合（Ｓ４０６のＹＥＳの場合）には、後述する盛り上がり選局処理を行う（Ｓ４０９）。この盛り上がり選局が行われるチャンネルは、予測選局後、次のチャンネルのコンテンツが表示・出力されても、選局状態は維持される（図示せず）。
【００３６】
新たな選局要求がなければ（Ｓ４０７のＮＯの場合）、Ｓ４０５に戻り、継続時間の取得を行なう。新たな選局要求があれば（Ｓ４０７のＹＥＳの場合）、Ｓ４０２に戻り、選局種別の判定を行なう。
【００３７】
以上、Ｓ４０２乃至Ｓ４０７のステップを繰り返すことにより、予測選局処理が可能になり、選局処理の高速化が実現できる。
【００３８】
次に、Ｓ４０３に戻り、ダイレクト選局が選択されたと判断すると（Ｓ４０３のＮＯの場合）、選局制御部１１７は、ダイレクト選局処理を行う（Ｓ４０８）。以下、図６を使って、ダイレクト選局処理を具体的に説明する。
【００３９】
選局制御部１１７は、系統識別フラグに基づき、第一系統又は第二系統のいずれの映像・音声を映像表示部１１１、音声出力部１１２から表示・出力するかを決定する（Ｓ６０１）。具体的な処理内容は、図５のＳ５０１の処理と同様であるため、説明を省略する。
【００４０】
選局制御部１１７は、系統識別フラグに基づき、現在、映像・音声を出力していない系統により、選局要求のあったチャンネルへの選局処理を行なう（Ｓ６０２）。一方、映像・音声を表示・出力している系統では、選局していたチャンネルの選局状態を維持する（図示せず）。即ち、系統識別フラグが０の場合は、第二系統により選局要求のあったチャンネルへの選局処理を行なう。また、系統識別フラグが１の場合は、第一系統により選局要求のあったチャンネルへの選局処理を行なう。選局処理完了後、選局制御部１１７は、選局管理テーブルと系統識別フラグの更新を行って、システム制御部１１５に対し、Ｓ６０１で決定した選局系統への切換え要求を行なう（Ｓ６０３）。処理内容としては、図５のＳ５０３の処理と同様であるため、説明を省略する。
【００４１】
図４に戻り、選局制御部１１７は、Ｓ５０３又はＳ６０３で更新した系統識別フラグの情報に基づき、表示・出力中ではない系統を用いて、盛り上がり選局処理を行う（Ｓ４０９）。
【００４２】
Ｓ４０８又はＳ４０９の選局処理が正常に完了すると、選局制御部１１７は、映像・音声を表示・出力中ではない系統の情報とともに、選局処理の完了をシステム制御部１１５に通知する。システム制御部１１５は、選局処理の完了通知を受信すると、盛り上がり通知制御部１１３に対し、映像・音声が表示・出力されていない系統の盛り上がり通知制御を開始するように要求する。
【００４３】
盛り上がり通知制御部１１３は、映像・音声が表示・出力されてない系統の状態の変化を監視し、所定の状態に変化した場合に検出を行う。状態の変化とは、例えば、音量レベルの変化であり、急激に音量レベルが盛り上がった場合に番組の盛り上がり部分があったとものとして検出する。盛り上がり通知制御部１１３は、盛り上がり部分があったと検出した場合に、表示合成部１０８に第一系統、及び第二系統の映像を同時に表示するマルチ画面表示を要求する。
【００４４】
以上の説明によれば、アップダウンダウン選局の要求があり、表示・出力の継続時間が所定の時間未満の場合には、Ｓ４０２乃至Ｓ４０７のステップを繰り返すことにより、予測選局され、選局処理の高速化が実現できる。一方、アップダウンダウン選局で、前記継続時間が所定の時間以上の場合、又はダイレクト選局の場合、Ｓ４０８、Ｓ４０９による盛り上がり選局が可能になる。即ち、盛り上がり部分を見逃す機会の低減化を実現できる。結果、予測選局と盛り上がり選局の両立が達成できる。
【００４５】
なお、本実施形態では、盛り上がり通知制御部１１３は、盛り上がり部分の検出がなされた場合に、前記の通り、表示合成部１０８にマルチ画面表示を要求するようにしていたが、これに限定する趣旨ではない。例えば、盛り上がり通知制御部１１３は、盛り上がりを検出した系統のコンテンツの映像・音声のみの表示・出力に切替えるようにしてもよい。また、画面表示の切替に代えて、前記所定の状態に変化したことを検出したことを表示させるようにしてもよい。具体的には、グラフィック生成部１１４を介し、表示合成部１０８に対し、盛り上がりを検出したことをユーザに通知するグラフィック表示を行なうようにすればよい。
【００４６】
（第２実施形態）
第１実施形態では、前記継続時間の閾値として、所定の時間Ｎ=１０秒というように、時間を固定して設定した形態を説明した。本実施形態は、前記監視されるコンテンツにおいて、コマーシャルメッセージ（ＣＭ）の配信の有無を検出をし、ＣＭの検出の有無により異なる時間が設定される形態を説明する。
【００４７】
図７は、本実施形態に係る放送受信装置及びその制御方法が適用されるＤＴＶ７００の構成を示す図である。  図７において、図１と符号が同様なものは、各々同等の機能を有するものであり、詳細な説明は省略する。
【００４８】
前記ＣＭの検出は、ＣＭ検出部７０１で行われる。ＣＭ検出は、例えば「音声がデュアルモノラルからステレオに切換わった場合にＣＭになったと判定する」、というように、公知のＣＭ検出技術を利用すればよい。
【００４９】
次に、図８により、ＤＴＶ７００における選局処理フローについて説明する。選局制御部１１７は、システム制御部１１５からの操作情報を伴う選局要求を待つ（Ｓ８０１）。  選局要求を受信すると、選局制御部１１７は、ＣＭ検出部７０１から、盛り上がり選局処理におけるＣＭ検出情報を取得し、監視しているコンテンツがＣＭ中であるかどうかを判定する（Ｓ８０２）。ＣＭ中である場合（Ｓ８０２のＹＥＳの場合）は、前記所定の時間をＮ＝２０と決定する（Ｓ８０３）。一方、ＣＭ中ではない場合（Ｓ８０２のＮＯの場合）は、前記所定の時間をＮ＝１０と決定する（Ｓ８０４）。
【００５０】
以下、Ｓ８０５〜Ｓ８１２の処理については、実施形態１で述べたＳ４０２〜Ｓ４０９の処理と同様であるため、説明は省略する。
【００５１】
以上、放送受信装置にＣＭ検出機能を設け、盛り上がり選局処理において、ＣＭ配信の検出の有無によって、決定したＮの値によっても「予測選局」と「盛り上がり選局」の両立が達成できる。
【００５２】
なお、前記Ｓ８０３、Ｓ８０４の所定の時間の設定は、Ｎ＝２０、Ｎ＝１０に限定する趣旨ではなく、例えば、前者をＮ＝３０、後者をＮ＝１５としてもよい。
【００５３】
（第３実施形態）
第２実施形態では、前記監視されるコンテンツがＣＭの配信の検出の有無により異なる時間が設定される形態を説明した。本実施形態では、状態の変化を監視されているコンテンツの所定の視聴回数を管理し、前記所定の時間は、前記視聴回数によって異なる時間が設定される形態を説明する。以下所定の視聴回数について、チャンネル別の視聴回数を例に説明するが、カウントする視聴回数は、チャンネル別に限定する趣旨ではない。従って、例えば、ＴＳに多重されている番組情報データを用いて、コンテンツのタイトル別、コンテンツのジャンル別に視聴回数をカウントするものであってもよい。
【００５４】
図９は、本実施形態に係る放送受信装置及びその制御方法が適用されるＤＴＶ９００の構成を示す図である。図９において、図１、図７と符号が同様なものは、各々同等の機能を有するものであり、詳細な説明は省略する。
【００５５】
選局制御部１１７は、選局処理が正常に完了した後、図３で説明した選局管理テーブルを更新すると共に、タイマー部１１９を用いて、選局処理されたコンテンツの前記継続時間の計測を開始する。選局制御部１１７は、継続時間がＮ秒以上となった時点で、映像表示部１１１に映像を表示させていた系統で選局処理したコンテンツのチャンネルを盛り上がりの検出を行う対象とする。このチャンネルは、盛り上がり選局処理の監視を行うチャンネルとして記憶される。更に選局制御部１１７は、前記記憶されたコンテンツを視聴履歴管理部９０１に送ると、視聴履歴管理部９０１は、このコンテンツの視聴回数情報を１回増加させる。具体的には、図１０で示す視聴履歴管理テーブルによって視聴回数は管理される。この視聴履歴管理テーブルは、視聴履歴管理部９０１が管理し、メモリ部１１８において記憶される。視聴履歴管理テーブルは、チャンネル欄１００１と視聴回数欄１００２とから構成されている。ここで、例えば、チャンネル欄１００１のチャンネル１の視聴回数が、１００５であるとする。新たに、チャンネル１のコンテンツを視聴すると、視聴回数欄１００２のチャンネル１に対応する視聴回数１００５が、１増加して１００６となる。以上の動作により、視聴履歴管理テーブルの情報更新が行なわれる。
【００５６】
次に、図１１により、ＤＴＶ９００における選局処理フローについて説明する。
【００５７】
選局制御部１１７は、システム制御部１１５からの操作情報を伴う選局要求を待つ（Ｓ１１０１）。選局要求を受信すると、選局制御部１１７は、視聴履歴管理部９０１から、盛り上がり選局処理における視聴回数情報を取得し、視聴回数がＹ回以上（例えばＹ=５００）かどうかを判断する（Ｓ１１０２）。Ｙ回以上である場合（Ｓ１１０２がＹＥＳの場合）は、Ｎ＝２０と決定する（Ｓ１１０３）。一方、Ｙ回以上ではない場合（Ｓ１１０２がＮＯの場合）は、Ｎ＝１０と決定する（Ｓ１１０４）。
【００５８】
Ｓ１１０５〜Ｓ１１１２の処理については、第１実施形態で説明したＳ４０２〜Ｓ４０９の処理、第２実施形態で述べたＳ８０５〜Ｓ８１２と同様であるため、説明は省略する。
【００５９】
以上の通り、放送受信装置に視聴履歴管理機能を設け、盛り上がり選局処理のチャンネルの視聴回数により、決定したＮの値によっても「予測選局」と「盛り上がり選局」の両立が達成できる。
【００６０】
なお、Ｓ１１０３、Ｓ１１０４の所定の時間の設定は、Ｎ＝２０、Ｎ＝１０に限定趣旨ではなく、例えば、前者をＮ＝３０、後者をＮ＝５としてもよい。また本実施形態では、Ｙの値を５００として説明を行なったが、Ｙの値は５００に限定する趣旨ではない。従って、例えば、Ｙの値を３００や１０００といった固定値としても良いし、全チャンネルの視聴回数の平均値としても良い。
【符号の説明】
【００６１】
１０１  アンテナ
１０２、１０３  チューナ部
１０４、１０５  データ分離部
１０６、１０７  映像・音声デコード部
１０８  表示合成部
１０９  表示制御部
１１０  音声制御部
１１１  映像表示部
１１２  音声出力部
１１３  盛り上がり通知制御
１１４  グラフィック生成部
１１５  システム制御部
１１６  受光部
１１７  選局制御部
１１８  メモリ部
１１９  タイマー部
７０１  ＣＭ検出部
９０１  視聴履歴管理部
【図１】
2011049629.tif 000003
【図２】
2011049629.tif 000004
【図３】
2011049629.tif 000005
【図４】
2011049629.tif 000006
【図５】
2011049629.tif 000007
【図６】
2011049629.tif 000008
【図７】
2011049629.tif 000009
【図８】
2011049629.tif 000010
【図９】
2011049629.tif 000011
【図１０】
2011049629.tif 000012
【図１１】
2011049629.tif 000013